(57)【要約】【課題】ノートパソコンを後端部が机などの載置面から持ち上げられた姿勢に確実に保持する。【解決手段】左右に端部３１，３２を有する枢接具３と、それぞれの一端４１が左右端部３１，３２中の１つに他端４２と同一平面をなすように回動自在に枢支されていて、所定角度範囲内で互いに近接及び離間することができる一対の長尺状のロッド部材４，４と、ロッド部材４，４の角度範囲外から平面に沿って一対のロッド部材４，４を左右から挟むことができるように、それぞれの一端５１が左右端部３１，３２中の１つに回動自在に枢支されており、且つ少なくとも一部（止め部５３）が平面から上へ突出している一対の長尺状の止め部材５と、それぞれが、載置面から一対のロッド部材４，４中の１つの他端４２を持ち上げることができるように、対応するロッド部材４，４の他端４２に設けられている一対の長尺状の支持柱６，６とから構成されている。【選択図】図４
2005208836.tif 000002
【特許請求の範囲】
【請求項１】
ノートパソコンの後端部を載置面から持ち上げた状態で使用できるように保持するノートパソコン用支持装置であって、
左右に端部を有する枢接具と、
それぞれの一端が前記左右端部中の１つに他端と同一平面をなすように回動自在に枢支されていて、所定角度範囲内で互いに近接及び離間することができる一対の長尺状のロッド部材と、
前記ロッド部材の角度範囲外から前記平面に沿って一対の前記ロッド部材を左右から挟むことができるように、それぞれの一端が前記左右端部中の１つに回動自在に枢支されており、且つ少なくとも一部が前記平面から上へ突出している一対の長尺状の止め部材と、
それぞれが、前記載置面から一対の前記ロッド部材中の１つの他端を持ち上げることができるように、対応するロッド部材の他端に設けられている一対の長尺状の支持柱と
から構成されていることを特徴とするノートパソコン用支持装置。
【請求項２】
一対の前記支持柱は、それぞれの略中間部が対応のロッド部材の他端に枢設され、その対応するロッド部材全体を含んでいる平面と略一致するように回動可能としたことを特徴とする請求項１に記載のノートパソコン用支持装置。
【請求項３】
前記枢接具の前記左右端部のそれぞれにある止め部材及びロッド部材の枢支位置が、前記平面と直交する同一の直線上に位置していることを特徴とする請求項１または請求項２に記載のノートパソコン用支持装置。
【請求項４】
前記枢接具は、開口を有する断面コ字形のものであり、一対の前記ロッド部材及び止め部材は、前記開口に挿入して前記コ字形の上下壁の間に枢接されていることを特徴とする請求項３に記載のノートパソコン用支持装置。
【請求項５】
一対の前記止め部材の枢支位置は、一対の前記ロッド部材の枢支位置の下方に位置し、且つ、各止め部材は、いずれも前記平面と上下に重なり、且つ、その一端が前記枢支位置に枢支されている平板部と、前記突出する一部として前記平板部の面から直立するように前記平板部の他端近傍の長尺方向に沿う一対の縁部のうち前記所定角度範囲に対する外側の１つに形成された止め部とからなっていることを特徴とする請求項４に記載のノートパソコン用支持装置。
【請求項６】
一対の前記止め部材は、それぞれ断面Ｌ字形のブロックを備え、該ブロックはそれぞれ平板部の他端の面上に設けられ、且つ、そのＬ字形中の直立部が前記止め部とされていることを特徴とする請求項５に記載のノートパソコン用支持装置。
【請求項７】
一対の前記ロッド部材及び一対の前記支持柱の少なくとも一方は、伸縮可能な入れ子管構造を有することを特徴とする請求項１乃至請求項６のいずれか１項に記載のノートパソコン用支持装置。
【請求項８】
一対の前記ロッド部材は、それぞれ、一端部が前記枢接具の左右端部中の１つに枢支されている第１の内管と、一端部が前記第１の内管の他端部に外嵌され、他端部が前記支持柱の前記略中間部を枢支している第１の外管とからなっている伸縮可能な入れ子管構造を有することを特徴とする請求項７に記載のノートパソコン用支持装置。
【請求項９】
一対の前記支持柱は、それぞれ、一端部の上面が平面である第２の内管と、一端部が前記第２の内管の他端部に外嵌されていると共に、前記第１の外管の他端部に枢支されており、他端部の下面が平面である第２の外管とからなっている伸縮可能な入れ子管構造を有することを特徴とする請求項７または請求項８に記載のノートパソコン用支持装置。
【請求項１０】
前記外管の周壁には、それぞれ長尺方向に沿って所定距離を開けた複数の通孔が形成してあり、
前記内管の周壁には、それぞれ前記複数の通孔と順番に対応することができるボール付き穴が設けてあり、また内管の内部には、前記ボールを押し付けてその先端を前記穴と対応する前記外管の通孔内に嵌入して該外管を係止する弾性付勢手段が収容されていることを特徴とする請求項８または請求項９に記載のノートパソコン用支持装置。
【請求項１１】
前記載置面と略垂直に位置するまで回動できるように一端が前記枢接具の左右端部の間に枢支されており、他端が前記載置面と略垂直に位置した状態では略水平面になる平板が形成されるように曲げられており、且つ、その全体が弾性付勢手段により通常前記載置面と略平行な姿勢に保持されている長尺状の支持部材を更に備えていることを特徴とする請求項１乃至請求項１０のいずれか１項に記載のノートパソコン用支持装置。
【請求項１２】
前記枢接具は、上下壁と該上下壁の一側縁を接続している後壁とを有する断面コ字形で、前記上下壁の間の隙間内の左右両側の前記後壁近傍にブロックがそれぞれ設けられており、且つ、前記上壁の略中央部に、開孔が形成してあり、
前記支持部材の前記一端は、一対の前記ブロック及びそれ自体を貫通しているピンにより前記開孔内に回動可能に枢支されており、
前記弾性付勢手段として、ねじりコイルばねが使用され、該ねじりコイルばねは、そのコイル部が前記ピンの外周を囲み、その両端部がそれぞれ前記支持部材の前記一端の上面及び前記枢接具の内壁面に当接していることを特徴とする請求項１１に記載のノートパソコン用支持装置。
【発明の詳細な説明】
【技術分野】
【０００１】
本発明は、ノートパソコン用支持装置に関し、特に、ノートパソコンを後端部が机などの載置面から持ち上げたまま使用できるように保持するノートパソコン用支持装置に関する。
【背景技術】
【０００２】
通常のノートパソコンは、そのキーボード部の前端部と後端部の厚さは略同じであり、人体工学に合わないので、本などをキーボード部の後端部の下方に置いて後端部を持ち上げ、キーボード部を斜めに傾斜させた状態で使用する人が少なくない。そうすると、楽にタイプできるうえ、キーボード部の底面が机などの載置面と隙間を開けることができるため、ノートパソコンの放熱にも役立つという利点もある。
【０００３】
しかしながら、この使用方式では、本などを探し難い場合があったり、どうしても適当な高さを調整し難い場合もあるうえ、キーボード部の前端部を何らかの物で止められなければ、タイプ中にノートパソコンが不意に本から滑り落ち、インプットしたデータやソフト、またはノートパソコン自体が破損するなどの欠点がある。
【０００４】
もちろん、現在はキーボード部の後端部の厚さが前端部より厚くて、使用時にキーボード部の上面が自ずと斜めになるノートパソコンが開示及び市販されているが、斜めの傾斜角度、即ち後端部の立ち上がる高さが自由に調整できないばかりでなく、前記本などにより持ち上げられた場合にある放熱助長効果もないので、あまり理想的とは言えない。
【発明の開示】
【発明が解決しようとする課題】
【０００５】
上記問題に鑑みて、本発明の第１の目的は、ノートパソコンを後端部が机などの載置面から持ち上げられた姿勢に確実に保持することができるノートパソコン用支持装置を提供しようとすることにある。
【０００６】
また、第２の目的は、ノートパソコンの後端部を持ち上げる高さを自由に調整できるノートパソコン用支持装置を提供しようとすることにある。
【課題を解決するための手段】
【０００７】
前記目的を達成するために、本発明では、ノートパソコンの後端部を載置面から持ち上げた状態で使用できるように保持するノートパソコン用支持装置であって、左右に端部を有する枢接具と、それぞれの一端が前記左右端部中の１つに他端と同一平面をなすように回動自在に枢支されていて、所定角度範囲内で互いに近接及び離間することができる一対の長尺状のロッド部材と、前記ロッド部材の角度範囲外から前記平面に沿って一対の前記ロッド部材を左右から挟むことができるように、それぞれの一端が前記左右端部中の１つに回動自在に枢支されており、且つ少なくとも一部が前記平面から上へ突出している一対の長尺状の止め部材と、それぞれが、前記載置面から一対の前記ロッド部材中の１つの他端を持ち上げることができるように、対応するロッド部材の他端に設けられている一対の長尺状の支持柱とから構成されていることを特徴とするノートパソコン用支持装置を提供する。
【０００８】
このノートパソコン用支持装置では、一対の止め部材及びロッド部材を左右方向へ展開して、一対の前記止め部材を、例えば同一の直線に位置させると共に一対の前記ロッド部材をそれぞれの前記直線と挟む角度が略同じようなＶ字形に配置させる。その後、前記ノートパソコンの後端部を一対の支持柱の上端に置き、且つ前端部を一対の止め部材の一部に当接させることにより、前記ノートパソコンを保持することができる。
【０００９】
この構成によるノートパソコン用支持装置は、枢接構造になっているので、収束した状態に折り畳むことができ、携帯に便利である。そのうえ、一対の止め部材を備えているので、斜めになったノートパソコンを前記突出した一部でその前端部から支え、支持装置から滑り落ちることを止めることができる。すなわち、ノートパソコンを確実に保持することができる。
【００１０】
そして、前記支持装置では、一対の前記支持柱は、それぞれの略中間部が対応のロッド部材の他端に枢設され、その対応するロッド部材全体を含んでいる平面と略一致するように回動可能とすることが好ましい。また、前記枢接具の前記左右端部のそれぞれにある止め部材及びロッド部材の枢支位置が、前記平面と直交する同一の直線上に位置していることが好ましい。それにより、前記支持装置を収納する場合、まず、一対の支持柱をそれぞれ対応するロッド部材の下方に回動して一対のロッド部材と平行に位置させる。そして、一対のロッド部材及び一対の止め部材を互いに近接させることのみにより、収束されて携帯に便利な状態になることができる。
【００１１】
また、一対の前記ロッド部材及び一対の前記支持柱の少なくとも一方は、いずれも伸縮可能な入れ子管構造を有することが好ましい。この入れ子管構造としては、一対の前記ロッド部材の場合では、それぞれ、一端部が前記枢接具の左右端部中の１つに枢支されている第１の内管と、一端部が前記第１の内管の他端部に外嵌され、他端部が前記支持柱の前記略中間部を枢支している第１の外管とからなっている構成が挙げられ、一対の前記支持柱の場合では、それぞれ、一端部の上面が平面である第２の内管と、一端部が前記第２の内管の他端部に外嵌されていると共に、前記第１の外管の他端部に枢支されており、他端部の下面が平面である第２の外管とからなっている構成が挙げられる。
【００１２】
それにより、ノートパソコンのサイズに応じて一対の前記ロッド部材及び一対の前記支持柱の長さを自由に調整することができるので、各種のノートパソコンに適用できるうえ、必要に応じてノートパソコンの後端部の持ち上げられる高さを調整することもできる。
【００１３】
また、一対の前記ロッド部材及び一対の前記支持柱の長さを調整した後、それらの長さを調整後の状態に固定するために、いろいろな方式が採用できる。例えば、前記外管の周壁には、それぞれ長尺方向に沿って所定距離を開けた複数の通孔が形成してあり、前記内管の周壁には、それぞれ前記複数の通孔と順番に対応することができるボール付き穴が設けてあり、また内管の内部には、前記ボールを押し付けてその先端を前記穴と対応する前記外管の通孔内に嵌入して該外管を係止する弾性付勢手段が収容されている手段の採用がその好例である。そうすると、前記内外管を左右方向へ引いたり縮めたりすることにより、一対の前記ロッド部材及び一対の前記支持柱の長さを段階的に調整することができる。
【００１４】
なお、ＣＤ−ＲＯＭの出口が前端部に設けられている一部のノートパソコンにとっては、前記支持装置に保持された状態下では、その前端部が前記突出の一部に遮蔽されているので、ディスクをＣＤ−ＲＯＭ内に装入したり、ＣＤ−ＲＯＭから取り外したりすることができない問題がある。このため、使用上の便利性のために、前記支持装置は、下記長尺状の支持部材を更に備えることが好ましい。この支持部材は、前記載置面と略垂直に位置するまで回動できるように一端が前記枢接具の左右端部の間に枢支されており、他端が前記載置面と略垂直に位置した状態では略水平面になる平板が形成されるように曲げられており、且つ、その全体が弾性付勢手段により通常前記載置面と略平行な姿勢に保持されている長尺状の支持部材を更に備えている。
【００１５】
それにより、ディスクをＣＤ−ＲＯＭ内に装入したりＣＤ−ＲＯＭから取り外したりしようとする場合、ノートパソコンが前記支持装置に保持された状態下で、前記支持部材を前記載置面と略垂直に位置するまで回動し、前記他端の平板を前記ノートパソコンの前端部の底面に当接させて前記前端部を持ち上げることにより、ディスクの装入や取り外しを行うことができる。また、前記支持部材の他端をノートパソコンから離脱すると、前記弾性付勢手段により前記支持部材が元の姿勢に自動的に戻ることができる。
【発明の効果】
【００１６】
本発明のノートパソコン用支持装置は、ノートパソコンを確実に保持することができるうえ、必要に応じて後端部が持ち上げられる高さを調整することができる。
【発明を実施するための最良の形態】
【００１７】
以下、本発明のノートパソコン用支持装置の好ましい実施形態を詳しく説明する。
【００１８】
本発明のノートパソコン用支持装置２００は、ノートパソコンの後端部を机などの載置面から持ち上げた状態で使用できるように保持するものである。図１は、このノートパソコン用支持装置の好ましい実施形態を示す分解斜視図である。図２は、組立後の収束状態を示す斜視図である。図示のように、このノートパソコン用支持装置は、主として左右に端部３１，３２を有する枢接具３と、それぞれの一端４１が前記左右端部３１，３２中の１つに他端４２と同一平面上に位置するように回動自在に枢支されていて所定角度範囲内に互いに近接および離間することができる一対の長尺状のロッド部材４，４と、前記角度範囲外から前記平面（仮想平面）に沿って一対の前記ロッド部材４，４を左右から挟むことができるようにそれぞれの一端５１が前記左右端部３１，３２中の１つに回動自在に枢支されており、且つ少なくとも一部が前記平面から上へ突出している一対の長尺状の止め部材５，５と、それぞれが、前記載置面から一対の前記ロッド部材４，４中の１つの他端４２を持ち上げることができるように対応のロッド部材４の他端４２に設けられている一対の長尺状の支持柱６，６とから構成されている。
【００１９】
もっと詳しく説明すると、一対の前記支持柱６，６は、それぞれの略中間部が対応のロッド部材４の他端４２に枢設され、その対応するロッド部材４全体を含んでいる平面と平行に略一致するように回動できるようにされている。前記枢接具３は、開口３６を有する断面コ字形のものであり、一対の前記ロッド部材４，４及び止め部材５，５は、前記開口３６に挿入して前記コ字形を形成する上下壁３４，３５の間に枢接され、且つそれらの枢支位置は、前記平面と直交している同一の直線上の上下に位置している。
【００２０】
本実施形態において一対の前記止め部材５，５の枢支位置は、一対の前記ロッド部材４，４の枢支位置の下方に位置し、且つ、各止め部材５は、いずれも前記平面と上下に重なり、且つ、その一端５１が前記枢支位置に枢支されている平板部５２と、前記突出する一部として前記平板部５２の面から直立するように前記平板部５２の他端近傍の長尺方向に沿う一対の縁部のうち前記所定角度範囲に対する外側の１つに形成された止め部５３とからなっている。
【００２１】
詳細に説明すると、一対の前記止め部材５，５は、それぞれ断面Ｌ字形のブロック５４を備えている。該ブロック５４は、それぞれ対応する平板部５２の他端の面上に設けられ、且つ、そのＬ字形中の直立部が前記止め部５３とされている。
【００２２】
そして、一対の前記ロッド部材４，４及び一対の前記支持柱６，６の両方は、いずれも伸縮可能な入れ子管構造を有する。
【００２３】
一対の前記ロッド部材４，４は、それぞれ、その一端部４１が前記枢接具３の左右端部３１，３２中の１つに枢支されている第１の内管４３と、その一端部４４１が前記第１の内管４３の他端部に外嵌され、他端部４２がＣ形の枢接手段６３を介して対応する支持柱６の前記略中間部を枢支している第１の外管４４とからなっている伸縮可能な入れ子管構造を有する。
【００２４】
一対の前記支持柱６，６は、それぞれ、その一端部の上面６１１が平面である第２の内管６１と、その一端部が前記第２の内管６１の他端部に外嵌されていると共に、前記Ｃ形の枢接手段６３を介して前記第１の外管４４の他端部４２に枢支されており、他端部の下面６２１が平面である第２の外管６２とからなっている伸縮可能な入れ子管構造を有する。本実施形態では、支持柱６，６の上面６１１及び下面６２１を構成する平面は粗面である。
【００２５】
一対の前記ロッド部材４，４及び一対の前記支持柱６，６の伸縮可能な入れ子管構造を伸縮後の長さに固定する手段は、いろいろな方式が採用できる。本実施形態では以下の方法を採用している。すなわち、図３に示すように、前記第１及び第２の外管４４，６２の周壁には、それぞれ長尺方向に沿って所定距離を開けて複数の通孔４４２，６２２が形成されている。また、前記第１及び第２の内管４３，６１の周壁には、それぞれ前記複数の通孔４４２，６２２と順番に対応することができるボール４３２，６１３を配設した穴４３１，６１２（ボール付き穴）が設けてあり、また内管４３，６１の内部には、前記ボール４３２，６１３を押し付けてその先端を前記穴４３１，６１２と対応する通孔４４２，６２２内に嵌入して対応の外管４４，６２を係止する弾性付勢手段４３４，６１４が収容されている。なお、ボール４３２，６１３を配設する穴４３１，６１２は、その少なくとも外面部の内径が、前記ボール４３２，６１３の最大外径より小さく形成されている。または、通孔４４２，６２２の内径が、ボール４３２，６１３の最大外径より小さく形成されている。
【００２６】
それにより、前記内外管を互いに摺動するように引伸ばしたり縮めたりすることにより、一対の前記ロッド部材４，４及び一対の前記支持柱６，６の長さを段階的に調整することができる。
【００２７】
そして、ＣＤ−ＲＯＭの出口が前端部に設けられているノートパソコンに適用するために、本実施形態の支持装置２００は、長尺状の支持部材７を更に備えている。この支持部材７は、前記載置面と略垂直に位置するまで回動できるように、その一端７１が前記枢接具３の左右端部３１，３２の間に枢支されており、その他端７２が前記垂直の状態では略水平面になる平板７２１が形成されるように曲げられており、且つ、その全体が弾性付勢手段７５１により通常前記載置面と略平行な姿勢に保持されている。
【００２８】
もっと説明すると、前記枢接具３は、前記上下壁３４，３５の一側縁を接続している後壁３７を有するコ字形のもので、前記上下壁３４，３５の間の隙間内の左右両側の前記後壁３７の近傍にブロック３８，３８がそれぞれ設けられている。また、前記上壁３４の略中央部に、開孔３４１が形成してあり、前記支持部材７の前記一端７１は、一対の前記ブロック３８，３８及びそれ自体を貫通しているピン７５により前記開孔３４１内に回動可能に枢支されている。
【００２９】
前記弾性付勢手段７５１としては、ねじりコイルばねが使用され、該ねじりコイルばねは、そのコイル部が前記ピン７５の外周を囲み、その両端部がそれぞれ前記支持部材７の前記一端７１の上面及び前記枢接具３の内壁面に当接している。
【００３０】
それにより、前記支持装置２００は収束状態にある時、図２に示すように、一対の前記ロッド部材４，４及び一対の止め部材５，５がそれぞれ互いに近接し、且つ一対の前記ロッド部材４，４の前記第１の外管４４が前記断面Ｌ字形のブロック５４の上面に係止される。すなわち、一対の前記ロッド部材４，４が一対の前記止め部材５，５の一対の前記止め部５３，５３の間に挟まれており、また、一対の前記支持柱６，６がそれぞれ対応するロッド部材４，４の下方に回動されて、一対の前記ロッド部材４，４と平行すると共に前記第２の外管６２の他端部６２１が対応する止め部材５のブロック５４に当接している。前記支持部材７は前記載置面と略平行する姿勢に保持されている。
【００３１】
そして、前記支持装置２００を使用しようとする場合、図４に示すように、一対の前記止め部材５，５及びロッド部材４，４を左右方向へ展開して一対の前記止め部材５，５を同一の直線に位置させると共に、一対の前記ロッド部材４，４をそれぞれの前記直線と挟む角度が略同じようなＶ字形に配置させる。ついで、一対の前記支持柱６，６を対応のロッド部材４と垂直に位置するまで回動して前記第２の外管６２の下面６２１を前記載置面に立たせる。その後、図５に示すように、ノートパソコン９００のキーボード部の後端部９０１の底面を一対の前記支持柱６，６の前記第２の内管６１の上面６１１に置き、且つ前端部９０２を一対の前記止め部材５，５の前記止め部５３に当接させることにより、前記ノートパソコン９００を保持することができる。
【００３２】
そして、ＣＤ−ＲＯＭ９１の出口が前端部９０２に設けられている一部のノートパソコンにとっては、ディスク９２をＣＤ−ＲＯＭ９１内に装入したりＣＤ−ＲＯＭ９１から取り外したりしようとする場合、図６に示すように、ノートパソコン９００が前記支持装置２００に保持された状態下で、前記支持部材７を前記載置面と略垂直に位置するまで回動させる。そして、前記他端７２の平板７２１を前記ノートパソコン９００のキーボード部の前端部９０２の底面に当接させて前記前端部９０２を持ち上げることにより、ディスク９２の装入や取り外しを行うことができる。また、前記支持部材７の他端の平板７２１をノートパソコン９００から離脱すると、前記弾性付勢手段７５１により前記支持部材７が元の姿勢に自動的に戻ることができる。
【００３３】
このように、本発明のノートパソコン用支持装置２００は、収納及び携帯が容易であるのみならず、ノートパソコン９００を斜めに確実に保持することができるので、ノートパソコン９００のタイプ及び使用が便利であるうえ、滑り落ちて破損する恐れが全くない。また、一対の前記ロッド部材４，４及び一対の前記支持柱６，６の長さを自由に調整することができるので、ノートパソコン９００の後端部を持ち上げる高さを調整し、各種のノートパソコンに適用することができる。
【００３４】
なお、以上に説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【００３５】
【図１】本発明のノートパソコン用支持装置の好ましい実施形態を示す分解斜視図
【図２】前記実施形態の組立後の収束状態を示す斜視図
【図３】前記実施形態におけるロッド部材及び支持柱の長さを固定する手段を示す断面図
【図４】前記実施形態の展開状態を示す斜視図
【図５】前記実施形態の使用状態を示す側面図
【図６】前記実施形態における支持部材を載置面と略垂直に位置するまで回動してノートパソコンの前端部をも持ち上げた時の側面図
【符号の説明】
【００３６】
２００      支持装置
３          枢接具
３１，３２  左右端部
３４，３５  上下壁
３４１      開孔
３６        開口
３７        後壁  
３８        ブロック
４          ロッド部材
４１        一端
４２        他端
４３        第１の内管
４３１，６１２  穴
４３２，６１３  ボール
４３４，６１４  弾性付勢手段
４４        第１の外管
４４１      一端
４４２，６２２  通孔
５          止め部材
５１        一端
５２        平板部
５３        止め部
５４        ブロック
６          支持柱
６１        第２の内管
６１１      上面
６２        第２の外管
６２１      下面
６３        枢接手段
７          支持部材
７１        一端
７２        他端
７２１      平板
７５        ピン
７５１      弾性付勢手段
９００      ノートパソコン
９０１      後端部
９０２      前端部
９１        ＣＤ−ＲＯＭ
９２        ディスク
【図１】
2005208836.tif 000003
【図２】
2005208836.tif 000004
【図３】
2005208836.tif 000005
【図４】
2005208836.tif 000006
【図５】
2005208836.tif 000007
【図６】
2005208836.tif 000008